(57)【要約】      （修正有）【課題】縫製構造が簡単で、加飾に優れた車両用の表皮一体発泡品とその製造方法を提供する。【解決手段】複数の表皮片１，２を連結糸４で縫合することにより形成する連結縫製部４０の外側である表皮Ｂの外面側に、前記発泡液の発泡圧力によって、表皮Ｂの外面に露出する加飾糸３からなる加飾縫製部３０を設けて、表皮一体発泡品の外観品質を向上させている。そして、加飾縫製部３０と連結縫製部４０は２本針で、同時に縫製できるため、縫製作業の効率が良くなるといった優れた効果を奏する。【選択図】図２
2015002762.tif 000002
【特許請求の範囲】
【請求項１】
所定形状に裁断した複数の表皮片を縫合して袋状の表皮を形成し、該表皮内に発泡液を注入して発泡体製のパッドを表皮と一体成形してなる車両用の表皮一体発泡品において、
前記表皮片を連結糸で縫合することにより形成する連結縫製部の外側である表皮の外面側に、前記発泡液の発泡圧力によって、表皮の外面に露出する加飾糸からなる加飾縫製部を設けて、表皮一体発泡品の外面加飾を施してなる車両用の表皮一体発泡品。  
【請求項２】
前記加飾糸は前記連結縫製部を実質的に連結する連結糸に対して、低いテンションで縫製又は太い糸又は伸縮性が良い糸である請求項１記載の車両用の表皮一体発泡品。
【請求項３】
前記加飾糸からなる加飾縫製部の縫い目ピッチは、前記連結糸からなる連結縫製部の縫い目ピッチに対して大である請求項１又は２記載の車両用の表皮一体発泡品。
【請求項４】
所定形状に裁断した複数の表皮片を縫合して袋状の表皮を形成し、該表皮内に発泡液を注入して発泡体製のパッドを表皮と一体成形してなる車両用の表皮一体発泡品の製造方法において、
前記複数の表皮片の端末同士を、使用時に表皮の外面に露出する加飾糸と、複数の表皮片の端末同士を実質的に連結する連結糸とによって、互いに縫合することを特徴とする車両用の表皮一体発泡品の製造方法。
【請求項５】
前記加飾縫製部と前記連結縫製部は２本針で、同時に縫製することを特徴とする請求項４記載の車両用の表皮一体発泡品の製造方法。
【発明の詳細な説明】
【技術分野】
【０００１】
本発明は、車両に利用されるヘッドレスト、アームレスト、シートなど車両用の表皮一体発泡品とその製造方法に関するものである。
【背景技術】
【０００２】
従来、例えば、ヘッドレストには、所定形状に裁断した複数の表皮片を縫合、連結して袋状の表皮を形成し、該表皮内に発泡液を注入して発泡体製のパッドを表皮と一体成形してなるものがある。
そして、前記表皮における表皮片の縫合箇所に沿って、ヘッドレストの外観を向上させるために、玉縁を介在させたものがある（例えば特許文献１）。これは装飾材である玉縁を表皮片と別体に形成して表皮片間に縫合しなければならないため、工数を要する不具合がある。
【０００３】
そこで、斯かる不具合を除去するものとして、前記表皮における表皮片の縫合箇所に沿って、縫い目が外部に露出するステッチ縫いしたものが開示されている。これはステッチ縫いした部分によって、ヘッドレストの外観を向上させている。
そして、このステッチ縫いは、表皮片を縫合して連結した後、表皮片の両縫い代を一方の表皮片の内側に折り返して、その折り返し箇所と一方の表皮片とを縫い合わせたもの（シングルステッチ仕様）と、表皮片の両縫い代を各々の表皮片の内側に折り返して、その折り返し箇所と各々の表皮片とを縫い合わせたもの（ダブルステッチ仕様、たとえば、特許文献２）がある。  
【先行技術文献】
【特許文献】
【０００４】
【特許文献１】特開平１１−２２１１３１号公報
【特許文献２】特開２０１０−２２１１３１号公報
【発明の概要】
【発明が解決しようとする課題】
【０００５】
ところで、このステッチ縫いした表皮を使用した表皮一体発泡品は、袋状の表皮内に注入した発泡液の発泡に伴う発泡圧力によって、表皮片の縫合箇所が開き、縫合する連結糸が外部から視覚され、製品の外観品質が損なわれる。そのため、連結糸は表皮の外面と同系色にして連結糸が目立つことがないようにしている。また、連結糸が外部に露出しないように、連結糸の縫いピッチを狭くしたり、連結糸の縫製時のテンションを上げている。
また、前記ステッチ縫いは前述の如く、表皮片を縫合して連結した後に、別工程で行う必要がある。
【０００６】
そこで、本発明は縫製構造が簡単で、加飾に優れた車両用の表皮一体発泡品とその製造方法を提供することを目的とする。
【課題を解決するための手段】
【０００７】
本発明は、所定形状に裁断した複数の表皮片を縫合して袋状の表皮を形成し、該表皮内に発泡液を注入して発泡体製のパッドを表皮と一体成形してなる車両用の表皮一体発泡品において、
前記表皮片を連結糸で縫合することにより形成する連結縫製部の外側である表皮の外面側に、前記発泡液の発泡圧力によって、表皮の外面に露出する加飾糸からなる加飾縫製部を設けてなることを特徴とする。
【０００８】
この車両用の表皮一体発泡品において、表皮の外面に連結縫製部に沿って発泡液の発泡圧力によって略Ｖ字状の溝が形成され、この溝を跨ぐように、略Ｖ字状の溝の長さ方向に,略直交状に加飾糸が架設され、加飾糸は外部に露出するため、加飾糸が表皮片の外面の色と異なる色などを採用した場合には、表皮における縫合箇所全体に渉って加飾が施され、外観に優れた車両用の表皮一体発泡品を提供できる。
【０００９】
また、前記加飾糸は前記連結縫製部を構成する連結糸に対して、低いテンションで縫製又は太い糸又は伸縮性が良い糸を使用するのが好ましい。
このような構成を採用すると、加飾糸が表皮の外面に露出し易くなり、表皮一体発泡品の外観品質を向上できる。
【００１０】
また、前記加飾糸からなる加飾縫製部の縫い目ピッチは、前記連結糸からなる連結縫製部の縫い目ピッチに対して大にしている。
このようにすることにより、加飾糸が表皮の外面に露出し易くなるし、連結縫製部からの発泡液の漏出を防止できる。
【００１１】
本発明方法は、所定形状に裁断した複数の表皮片を縫合して袋状の表皮を形成し、該表皮内に発泡液を注入して発泡体製のパッドを表皮と一体成形してなる車両用の表皮一体発泡品の製造方法において、前記複数の表皮片の端末同士を、使用時に表皮の外面に露出する加飾糸と、複数の表皮片の端末同士を実質的に連結する連結糸とによって、互いに縫合することを特徴とするもので、加飾縫製部と連結縫製部との縫製作業が効率よく行うことができる。
【００１２】
更に、加飾縫製部と連結縫製部は２本針で、同時に縫製することにより、１工程で加飾縫製部と連結縫製部とを形成できるので縫製作業が簡単になる。  
【発明の効果】
【００１３】
本発明に係る車両用の表皮一体発泡品によれば、表皮の外面に連結縫製部に沿って発泡液の発泡圧力によって形成されるＶ字状の溝に、加飾糸が架設され、加飾糸は外部に露出するため、加飾糸は表皮一体発泡品の装飾部材になり、表皮一体発泡品の外観品質を向上し得る。
【００１４】
本発明に係る車両用の表皮一体発泡品の製造方法によれば、加飾縫製部と連結縫製部は同時に１工程で、効率よく製造できる。
【図面の簡単な説明】
【００１５】
【図１】本発明に係る表皮一体発泡品の一実施形態を示す斜視図である。
【図２】図１のＩＩ−ＩＩ線に沿う部分断面図である。
【図３】縫製状態を示す断面図である。
【発明を実施するための形態】
【００１６】
以下、図面を参照しつつ本発明の好適な実施形態について詳細に説明する。
【００１７】
図面に示す表皮一体発泡品は、車両用シートのヘッドレストであり、このヘッドレストの外表面を構成する表皮Ｂは、所定形状に裁断した複数の表皮片１，２を縫い合わせて袋状に形成されている。そして、この袋状の表皮Ｂ内にステー６，６を挿入した後、金型内において、発泡液を注入して発泡体製のパッド５を表皮Ｂと一体成形したものである。この一体成形時、表皮の外面に連結縫製部に沿って発泡液の発泡圧力によって略Ｖ字状の溝Ａが形成される。
【００１８】
この複数の表皮片１，２を縫い合わせ箇所に沿って形成された略Ｖ字状の溝Ａには、図２に示すように、この溝Ａを跨ぐように、溝の長さ方向に略直交状に加飾糸３が架設され、この加飾糸３はヘッドレストの外部に露出している。そのため、溝Ａ全体に渉って加飾糸３が施されているため、ヘッドレストの外観品質を向上できる。
【００１９】
以上の複数の表皮片１，２は、図２に示すように、ヘッドレストの外表面に配置される表生地１０，２０と、この表生地１０，２０の内側に有するスラブウレタンフォムなどからなるワディング１１，２１及びワディングカバー１２，２２の積層体など表皮一体発泡品に使用されている発泡液が漏出しないものである。
【００２０】
以上の複数の表皮片１，２は、図３に示すように、端末同士を、使用時に表皮の外面に露出する加飾糸３と、複数の表皮片１，２の端末同士を実質的に連結する連結糸４とによって、互いに縫合することにより、縫製の作業性を向上させている。
【００２１】
加飾縫製部３０は加飾糸３によって縫製され、連結縫製部４０は連結糸４により縫製される。
加飾糸３は連結糸４に対して、低いテンションで縫製又は太い糸又は伸縮性が良い糸など前記発泡液の発泡圧力によって、図２に示すように、表皮片１，２を縫い合わせ箇所に沿って略Ｖ字状の溝Ａが形成される共にこの溝Ａに架設され且つこの溝Ａより露出するようにしている。そして、加飾糸３は表皮片１，２の表生地１０，２０表面と異なる色の糸を採用してヘッドレストの外表面の加飾性を良好にしている。
【００２２】
また、加飾糸３からなる加飾縫製部３０の縫い目ピッチは、前記連結糸４からなる連結縫製部４０の縫い目ピッチに対して大にして、前記発泡液の発泡圧力によって、表皮片１，２を縫い合わせ箇所に沿って略Ｖ字状の溝Ａが形成されるようにしても良い。
このようにすることにより、加飾糸３が表皮Ｂの外面に露出し易くなる。
【００２３】
連結縫製部４０は連結糸４により表皮片１，２の端末側に形成され、表皮片１，２の縫い合わせ箇所から前記発泡液が漏出することがないように、縫い目ピッチを狭くしたり、或いは、細い糸を連結糸４としている。
【００２４】
また、加飾糸３、連結糸４の各々の針孔及び表皮片１，２を縫い合わせ箇所からの前記発泡液の漏出を防止するため、それらを覆う当てフィルムを取り付けるようにするのが好ましい。
【００２５】
本発明は、表皮一体発泡品として、ヘッドレストを例示したが、アームレスト、車両用シートなどへの適用が可能である。  
【符号の説明】
【００２６】
１，２…表皮片  ３…加飾糸    ４…連結糸  ５…発泡体製パッド  ３０…加飾縫製部  ４０…連結縫製部  Ａ…溝  Ｂ…表皮
【図１】
2015002762.tif 000003
【図２】
2015002762.tif 000004
【図３】
2015002762.tif 000005